(57)【特許請求の範囲】
【請求項１】
回路基板の面上に配される絶縁基体と、
該絶縁基体に組み付けられた信号接続用接触導体と、
該信号接続用接触導体を上記回路基板の面に沿って包囲する、円筒状を成すものとして上記絶縁基体に組み付けられた接地接続用接触導体と、
を備えて成り、
上記信号接続用接触導体に、上記回路基板に設けられた信号端子に接続される信号用接続端子部が設けられるとともに、円筒状を成す上記接地接続用接触導体が上記回路基板からの距離を異にする一対の環状端縁部分を有していて、上記接地接続用接触導体に、上記一対の環状端縁部分のうちの上記回路基板から遠い方のものから上記回路基板に向かって屈曲して伸びる腕状部と、該腕状部の先端部分に形成されて上記回路基板に設けられた接地端子に半田付けされる接地用接続端子部とが設けられ、上記接地接続用接触導体及び腕状部が弾性を有していることを特徴とする同軸コネクタ装置。
【請求項２】
上記接地用接続端子部が形成された上記腕状部が、上記接地接続用接触導体における複数箇所に設けられることを特徴とする請求項１記載の同軸コネクタ装置。
【請求項３】
上記接地用接続端子部が形成された上記腕状部が、上記信号接続用接触導体を挟んで相対向する位置に一対設けられることを特徴とする請求項２記載の同軸コネクタ装置。
【請求項４】
上記接地接続用接触導体が、複数の上記腕状部のうちの二つの間となる位置に上記一対の環状端縁部分の一方から他方に達するスリットが設けられたものとされることを特徴とする請求項２記載の同軸コネクタ装置。
【請求項５】
回路基板の面上に配される絶縁基体と、
該絶縁基体に組み付けられた信号接続用接触導体と、
該信号接続用接触導体を上記回路基板の面に沿って包囲する、円筒状を成すものとして上記絶縁基体に組み付けられた接地接続用接触導体と、
を備えて成り、
上記信号接続用接触導体に、上記回路基板に設けられた信号端子に接続される信号用接続端子部が設けられるとともに、上記接地接続用接触導体に、円筒状を成す該接地接続用接触導体における側壁部分から上記回路基板の面に沿う方向に伸びる腕状部と、該腕状部の先端部分に形成されて上記回路基板に設けられた接地端子に半田付けされる接地用接続端子部とが設けられ、上記接地接続用接触導体及び腕状部が弾性を有していることを特徴とする同軸コネクタ装置。
【請求項６】
上記接地用接続端子部が形成された上記腕状部が、上記接地接続用接触導体に所定の相互間隔を置いて複数設けられることを特徴とする請求項５記載の同軸コネクタ装置。
【請求項７】
上記接地接続用接触導体が、複数の上記腕状部のうちの二つの間となる位置に上記側壁部分を分断するスリットが設けられたものとされることを特徴とする請求項６記載の同軸コネクタ装置。
【発明の詳細な説明】
【技術分野】
【０００１】
本願の特許請求の範囲に記載された発明は、回路基板に取り付けられて、当該回路基板からその外部への、電磁波シールドが必要とされる信号の伝達に供される同軸コネクタ装置に関する。
【背景技術】
【０００２】
回路基板に配された導体を流れる高周波信号は、当該回路基板からその外部へと伝送されるにあたり、外部からのノイズの混入防止，外部への漏洩防止等のため、電磁波シールドが必要である信号として扱われることが多い。このような、電磁波シールドが必要である信号についての、回路基板からその外部、例えば、他の回路基板への伝送が行われるに際しては、当該回路基板に取り付けられるものとされる同軸コネクタ装置が用いられる。
【０００３】
回路基板に取り付けられる同軸コネクタ装置は、通常、絶縁基体に、信号の伝達に供される信号接続用接触導体と、信号接続用接触導体に供給される信号に対する電磁波シールド作用をもたらすべく、信号接続用接触導体を包囲して配されて接地電位を伝達する接地接続用接触導体と、が配されて構成される。そして、その使用に際しては、例えば、他の回路基板に取り付けられた他の同軸コネクタ装置と嵌合接続される状態におかれ、その信号接続用接触導体が、他の同軸コネクタ装置における信号接続用接触導体に接触するとともに、その接地接続用接触導体が、他の同軸コネクタ装置における接地接続用接触導体に接触するものとされる。それにより、伝送されるにあたって電磁波シールドが必要とされる信号の回路基板間における伝送が、信号接続用接触導体を包囲する接地接続用接触導体による電磁波シールドが果たされるもとで行われる。
【０００４】
斯かる同軸コネクタ装置は、回路基板に取り付けられるにあたり、信号接続用接触導体が回路基板に設けられた信号端子に接続されるとともに、接地接続用接触導体が回路基板に設けられた接地端子に接続されるものとされる。その際、接地接続用接触導体は、それに設けられた接地用接続端子部が回路基板に設けられた接地端子に半田付けされて、接地端子との接続がなされるものとされるのが一般であるが、接地接続用接触導体に設けられた接地用接続端子部の回路基板に設けられた接地端子に対する半田付け状態が、比較的長期に亙って適正に維持されることが要求される。
【０００５】
そこで、同軸コネクタ装置であって、回路基板に設けられた接地端子に半田付けされる接地接続用接触導体に設けられた接地用接続端子部の形状を工夫することにより、回路基板に設けられた接地端子に対する接地接続用接触導体の接続状態についての改良を図ろうとしたものが、従来提案されている（例えば、特許文献１参照。）。
【０００６】
このような従来提案されている同軸コネクタ装置は、例えば、細長板状導体がＵ字状に屈曲せしめられて形成された信号接続用接触導体（コンタクト）と、その中央部において信号接続用接触導体を保持して回路基板上に立設される合成樹脂性の絶縁基体（絶縁体）と、円筒状に形成され、信号接続用接触導体を保持した絶縁基体をその外周を包囲して収容する接地接続用接触導体（シェル）と、を備えて構成されている。そして、Ｕ字状に形成された信号接続用接触導体が、それに設けられた突出接触部（信号端子）が、絶縁基体が回路基板上に立設されるとき回路基板に設けられた信号端子（パッド）に当接することにより、回路基板に設けられた信号端子に接続される。また、円筒状に形成された接地接続用接触導体が、回路基板に当接するものとされる環状端縁部分に、回路基板に対面する平板状の接地用接続端子部（第二の接地端子）が複数設けられ、それら複数の接地用接続端子部が回路基板に設けられた接地端子（グランドパット）に重ねられて半田付けされることにより、回路基板に設けられた接地端子に接続される。
【０００７】
斯かるもとで、接地接続用接触導体の環状端縁部分に設けられる複数の平板状の接地用接続端子部の夫々が、角部が鈍角状に面取りされたもの、または、曲線を描くものとされており、それにより、平板状の接地用接続端子部の回路基板に設けられた接地端子からの分離、または、回路基板に設けられた接地端子の回路基板からの剥離が抑制されて、接地電位の安定化と回路基板に設けられた接地端子と回路基板との剥離強度の強化とが図られるとされている。
【０００８】
【特許文献１】特開２００４−６３３７２号公報（第５〜８頁、図１〜５，１０〜１２）
【発明の開示】
【発明が解決しようとする課題】
【０００９】
上述のような、円筒状に形成された接地接続用接触導体の環状端縁部分に設けられた複数の平板状の接地用接続端子部の夫々が回路基板に設けられた接地端子に重ねられて半田付けされることにより、接地接続用接触導体が回路基板に設けられた接地端子に接続される、従来の同軸コネクタ装置にあっては、回路基板に取り付けられた状態で他の同軸コネクタ装置との嵌合接続が行われるとき、信号接続用接触導体が他の同軸コネクタ装置における信号接続用接触導体に接触するとともに、接地接続用接触導体が他の同軸コネクタ装置における接地接続用接触導体に接触するが、その際、複数の平板状の接地用接続端子部の夫々と回路基板に設けられた接地端子との半田付け部が不所望な応力（ストレス）を受けることとなって、その半田付け部に不具合が生じる虞がある。
【００１０】
即ち、従来の同軸コネクタ装置において、信号接続用接触導体が他の同軸コネクタ装置における信号接続用接触導体に接触するとともに、接地接続用接触導体が他の同軸コネクタ装置における接地接続用接触導体に接触するにあたり、特に、接地接続用接触導体が、他の同軸コネクタ装置における接地接続用接触導体に接触するとき、さらには、他の同軸コネクタ装置における接地接続用接触導体に接触した状態におかれるとき、他の同軸コネクタ装置における接地接続用接触導体との係合による弾性変形を生じるとともに、その弾性変形に伴う弾性力を他の同軸コネクタ装置における接地接続用接触導体に作用させて、当該他の同軸コネクタ装置における接地接続用接触導体をロックする状態におかれる。そして、接地接続用接触導体が生じる弾性変形に起因する応力が、接地接続用接触導体の環状端縁部分に設けられた複数の平板状の接地用接続端子部の夫々と回路基板に設けられた接地端子との半田付け部に作用する。
【００１１】
その結果、接地接続用接触導体の環状端縁部分に設けられた複数の平板状の接地用接続端子部の夫々と回路基板に設けられた接地端子との半田付け部が、接地接続用接触導体の弾性変形に起因する不所望な応力を受けることになる。このような複数の平板状の接地用接続端子部の夫々と回路基板に設けられた接地端子との半田付け部が不所望な応力を受ける状態が、何回か繰り返されると、当該半田付け部に、半田クラック，半田外れ，接地端子の回路基板からの剥離等が発生して、接地接続用接触導体と回路基板に設けられた接地端子との適正な接続状態が維持されなくなってしまう不具合がまねかれることになってしまう。
【００１２】
斯かる点に鑑み、本願の特許請求の範囲に記載された発明は、回路基板に配される絶縁基体と、絶縁基体により保持される信号接続用接触導体と、信号接続用接触導体を包囲して配されて絶縁基体により保持される接地接続用接触導体とを備え、回路基板に取り付けられるにあたり、信号接続用接触導体が有する信号用接続端子部が回路基板に設けられた信号端子に接続されるとともに、接地接続用接触導体が、それが有する接地用接続端子部が回路基板に設けられた接地端子に半田付けされることにより、回路基板に設けられた接地端子に接続されるもとで、他の同軸コネクタ装置との嵌合接続にあたり、信号接続用接触導体及び接地接続用接触導体が他の同軸コネクタ装置における信号接続用接触導体及び接地接続用接触導体に夫々接触する際に、接地接続用接触導体が有する接地用接続端子部と回路基板に設けられた接地端子との半田付け部に作用する応力を効果的に減衰させることができる同軸コネクタ装置を提供する。
【課題を解決するための手段】
【００１３】
本願の特許請求の範囲における請求項１から請求項４までのいずれかに記載された発明（以下、本願発明の第１の態様という。）に係る同軸コネクタ装置は、回路基板の面上に配される絶縁基体と、絶縁基体に組み付けられた信号接続用接触導体と、信号接続用接触導体を回路基板の面に沿って包囲する、円筒状を成すものとして絶縁基体に組み付けられた接地接続用接触導体とを備えて成り、信号接続用接触導体に、回路基板に設けられた信号端子に接続される信号用接続端子部が設けられるとともに、円筒状を成す接地接続用接触導体が回路基板からの距離を異にする一対の環状端縁部分を有していて、その接地接続用接触導体に、一対の環状端縁部分のうちの回路基板から遠い方のものから回路基板に向かって屈曲して伸びる腕状部と、その腕状部の先端部分に形成されて回路基板に設けられた接地端子に半田付けされる接地用接続端子部とが設けられ、接地接続用接触導体及び腕状部が弾性を有しているものとされる。
【００１４】
特に、本願発明の第１の態様に係る同軸コネクタ装置のうちの請求項２に記載されたものにあっては、接地用接続端子部が形成された腕状部が、接地接続用接触導体における複数箇所に設けられたものとされる。
【００１５】
また、本願の特許請求の範囲における請求項５から請求項７までのいずれかに記載された発明（以下、本願発明の第２の態様という。）に係る同軸コネクタ装置は、回路基板の面上に配される絶縁基体と、絶縁基体に組み付けられた信号接続用接触導体と、信号接続用接触導体を回路基板の面に沿って包囲する、円筒状を成すものとして絶縁基体に組み付けられた接地接続用接触導体とを備えて成り、信号接続用接触導体に、回路基板に設けられた信号端子に接続される信号用接続端子部が設けられるとともに、接地接続用接触導体に、それにおける側壁部分から回路基板の面に沿う方向に伸びる腕状部と、その腕状部の先端部分に形成されて回路基板に設けられた接地端子に半田付けされる接地用接続端子部とが設けられ、接地接続用接触導体及び腕状部が弾性を有しているものとされる。
【００１６】
特に、本願発明の第２の態様に係る同軸コネクタ装置のうちの請求項６に記載されたものにあっては、接地用接続端子部が形成された腕状部が、接地接続用接触導体に所定の相互間隔を置いて複数設けられたものとされる。
【００１７】
上述のように構成される本願発明の第１の態様に係る同軸コネクタ装置及び第２の態様に係る同軸コネクタ装置の夫々は、回路基板の面上に絶縁基体が配され、信号用接続端子部が回路基板に設けられた信号端子に接続されるとともに、接地用接続端子部が回路基板に設けられた接地端子に半田付けされて、回路基板に取り付けられたもとで、他の同軸コネクタ装置との嵌合接続がなされて使用される。そして、他の同軸コネクタ装置との嵌合接続にあたっては、信号接続用接触導体が他の同軸コネクタ装置における信号接続用接触導体に接触するものとされるとともに、円筒状を成す接地接続用接触導体が他の同軸コネクタ装置における接地接続用接触導体に接触するものとされ、特に、円筒状を成す接地接続用接触導体は、他の同軸コネクタ装置における接地接続用接触導体に接触するとき、さらには、他の同軸コネクタ装置における接地接続用接触導体に接触した状態におかれるとき、他の同軸コネクタ装置における接地接続用接触導体との係合による弾性変形を生じ、また、例えば、その弾性変形に伴う弾性力を他の同軸コネクタ装置における接地接続用接触導体に作用させて、当該他の同軸コネクタ装置における接地接続用接触導体をロックする状態におかれる。
【００１８】
このようにして円筒状を成す接地接続用接触導体が生じる弾性変形に起因する応力は、当該接地接続用接触導体が有している回路基板からの距離を異にする一対の環状端縁部分のうちの回路基板から遠い方のものから回路基板に向かって屈曲して伸びるもの、もしくは、当該接地接続用接触導体における側壁部分から回路基板の面に沿う方向に伸びるものとされる、弾性を有した腕状部に弾性変形を生じさせることに費やされ、弾性変形を生じる腕状部により吸収されて減衰せしめられる。その結果、接地接続用接触導体が生じる弾性変形に起因する応力の腕状部の先端部分に形成された接地用接続端子部への伝達が効果的に低減されることになる。
【００１９】
特に、本願発明の第１の態様に係る同軸コネクタ装置のうちの請求項２に記載されたもの、もしくは、本願発明の第２の態様に係る同軸コネクタ装置のうちの請求項６に記載されたものにあっては、接地用接続端子部が形成された腕状部が円筒状を成す接地接続用接触導体における複数箇所に設けられたもの、もしくは、接地用接続端子部が形成された腕状部が円筒状を成す接地接続用接触導体に所定の相互間隔を置いて複数設けられたものとされることにより、接地接続用接触導体が生じる弾性変形に起因する応力についての腕状部による吸収減衰が、より一層効率的に行われるようにすることができる。
【発明の効果】
【００２０】
上述の本願発明の第１の態様及び第２の態様の夫々に係る同軸コネクタ装置によれば、回路基板の面上に絶縁基体が配され、信号用接続端子部が回路基板に設けられた信号端子に接続されるとともに、接地用接続端子部が回路基板に設けられた接地端子に半田付けされて回路基板に取り付けられたもとでの、他の同軸コネクタ装置との嵌合接続にあたって、円筒状を成す接地接続用接触導体が他の同軸コネクタ装置における接地接続用接触導体と係合することにより生じる弾性変形に起因する応力が、当該接地接続用接触導体が有している回路基板からの距離を異にする一対の環状端縁部分のうちの回路基板から遠い方のものから回路基板に向かって屈曲して伸びるもの、もしくは、当該接地接続用接触導体における側壁部分から回路基板の面に沿う方向に伸びるものとされる、弾性を有した腕状部により吸収されて減衰せしめられるので、接地接続用接触導体の弾性変形に起因し、接地接続用接触導体に設けられた接地用接続端子部と回路基板に設けられた接地端子との半田付け部に作用することになる応力を、効果的に減衰させることができる。
【００２１】
その結果、接地接続用接触導体が有する接地用接続端子部と回路基板に設けられた接地端子との半田付け部に、半田クラック，半田外れ，接地端子の回路基板からの剥離等が発生し、接地接続用接触導体と回路基板に設けられた接地端子との適正な接続状態が維持されなくなってしまうという不具合を回避できることになる。
【発明を実施するための最良の形態】
【００２２】
本願発明を実施するための最良の形態は、以下に述べられる本願発明の第１の態様及び第２の態様についての実施例をもって説明される。
【実施例１】
【００２３】
図１（平面図），図２（斜視図）及び図３（底面側から見た斜視図）は、本願発明    の第１の態様に係る同軸コネクタ装置の一例を示す。
【００２４】
図１〜図３において、本願発明の第１の態様に係る同軸コネクタ装置の一例を成す同軸コネクタ装置１１は、回路基板に取り付けられたもとで他の同軸コネクタ装置（相手側同軸コネクタ装置）との嵌合接続がなされて使用されるものとされる。そして、同軸コネクタ装置１１は、例えば、合成樹脂材により形成されて、同軸コネクタ装置１１が取り付けられる回路基板（図示が省略されている。）の面上に配されるものとされる絶縁基体１２を備えている。絶縁基体１２は、その中央部分に全体として円柱状をなす突出部１２ａが設けられたものとされており、突出部１２ａの中央部には矩形状の透孔１２ｂが形成されている。
【００２５】
また、同軸コネクタ装置１１は、例えば、合金板材とされる弾性を有した導電材料により形成され、絶縁基体１２の突出部１２ａに形成された透孔１２ｂ内に配されて絶縁基体１２に組み付けられた信号接続用接触導体１３を備えている。信号接続用接触導体１３の端部は、同軸コネクタ装置１１が嵌合接続される相手側同軸コネクタ装置の信号接続用接触導体に接触する接触接続部とされている。そして、信号接続用接触導体１３には、それから絶縁基体１２の外部へと伸びて、絶縁基体１２が配される面を有する回路基板に設けられた信号端子に接続される信号用接続端子部１４が設けられている。
【００２６】
さらに、同軸コネクタ装置１１は、例えば、合金板材とされる弾性を有した導電材料により形成され、絶縁基体１２の突出部１２ａに形成された透孔１２ｂ内に配された信号接続用接触導体１３を、絶縁基体１２が配される回路基板の面に沿って包囲する、円筒状を成すものとして絶縁基体１２に組み付けられた接地接続用接触導体１５を備えている。円筒状を成す接地接続用接触導体１５は、図２に明瞭に示されるように、絶縁基体１２が配される回路基板からの距離を異にする一対の環状端縁部分１５ａ及び１５ｂを有している。そして、接地接続用接触導体１５には、それが有する一対の環状端縁部分１５ａ及び１５ｂのうちの、絶縁基体１２が配される面を有する回路基板から遠い方のものである環状端縁部分１５ａから、当該回路基板に向かって屈曲して伸びる一対の腕状部１６Ａ及び１６Ｂと、腕状部１６Ａの先端部分に形成されて絶縁基体１２が配される面を有する回路基板に設けられた接地端子に半田付けされる接地用接続端子部１７Ａと、腕状部１６Ｂの先端部分に形成されて絶縁基体１２が配される面を有する回路基板に設けられた接地端子に半田付けされる接地用接続端子部１７Ｂとが設けられている。一対の腕状部１６Ａ及び１６Ｂの夫々は、一対の環状端縁部分１５ａ及び１５ｂのうちの絶縁基体１２が配される面を有する回路基板から遠い方のものである環状端縁部分１５ａから、当該回路基板に向かって屈曲して伸びるものとされているので、その長さが比較的大なるものとされる。そして、一対の腕状部１６Ａ及び１６Ｂは、絶縁基体１２の突出部１２ａに形成された透孔１２ｂ内に配された信号接続用接触導体１３を挟んで相対向する位置に設けられている。
【００２７】
なお、腕状部１６Ａ及び１６Ｂは、必ずしも信号接続用接触導体１３を挟んで相対向する位置に配される必要はなく、円筒状を成す接地接続用接触導体１５についての信号接続用接触導体１３を挟んで相対向する位置以外の二カ所に配されてもよい。
【００２８】
腕状部１６Ａ及び１６Ｂと接地用接続端子部１７Ａ及び１７Ｂとは、例えば、合金板材とされる弾性を有した導電材料により形成される接地接続用接触導体１５と一体的に形成されており、従って、腕状部１６Ａ及び１６Ｂも弾性を有したものとされる。そして、上述のように、接地用接続端子部１７Ａが接地接続用接触導体１５における環状端縁部分１５ａから屈曲して伸びる腕状部１６Ａの先端部分に形成されるとともに、接地用接続端子部１７Ｂが接地接続用接触導体１５における環状端縁部分１５ａから屈曲して伸びる腕状部１６Ｂの先端部分に形成されていることにより、絶縁基体１２が配される面を有する回路基板に設けられた接地端子に半田付けされる接地用接続端子部１７Ａ及び１７Ｂが、弾性を有した腕状部１６Ａ及び１６Ｂによって接地接続用接触導体１５に連結されていることになり、また、接地接続用接触導体１５から腕状部１６Ａ及び１６Ｂの夫々の長さだけ離隔していることになる。
【００２９】
接地接続用接触導体１５には、それにおける一対の環状端縁部分１５ａ及び１５ｂのうちの、絶縁基体１２が配される面を有する回路基板に近い方のものである環状端縁部分１５ｂから、絶縁基体１２の外部へと伸びて、絶縁基体１２が配される面を有する回路基板に設けられた接地端子に接続される接地用接続端子部１８も設けられている。
【００３０】
さらに、接地接続用接触導体１５には、腕状部１６Ａと腕状部１６Ｂとの間の位置、例えば、中間となる位置に、一対の環状端縁部分１５ａ及び１５ｂのうちの一方である環状端縁部分１５ａから他方である環状端縁部分１５ｂに達して、接地接続用接触導体１５の側壁部分を分断するスリット２０が設けられている。
【００３１】
図３に示されるように、上述のような絶縁基体１２における底面１２ｃ，信号接続用接触導体１３に設けられた信号用接続端子部１４の底面１４ａ、及び、接地接続用接触導体１５に設けられた接地用接続端子部１７Ａ，１７Ｂ及び１８の夫々の底面１７ａ，１７ｂ及び１８ａは、実質的に同一面内に配されるものとされて、絶縁基体１２が配される面を有する回路基板に当接するものとされている。
【００３２】
図４は、図１〜図３に示される同軸コネクタ装置１１が、回路基板２１に取り付けられた状態を示す。回路基板２１が有する面２１ａが、同軸コネクタ装置１１における絶縁基体１２が配される面である。
【００３３】
図４に示される回路基板２１には、信号端子２２と接地端子２３Ａ及び２３Ｂとが設けられている。そして、同軸コネクタ装置１１は、その絶縁基体１２が回路基板２１の面２１ａに配され、信号接続用接触導体１３に設けられた信号用接続端子部１４が、回路基板２１に設けられた信号端子２２に、例えば、半田付けされることにより接続され、また、接地接続用接触導体１５に設けられた接地用接続端子部１７Ａ及び１７Ｂが、回路基板２１に設けられた接地端子２３Ａ及び２３Ｂに夫々半田付けされ、さらに、図４には現れていない接地接続用接触導体１５に設けられた接地用接続端子部１８が、同じく図４には現れていない回路基板２１に設けられた接地端子に半田付けされて、回路基板２１に取り付けられている。なお、図４に示される例にあっては、信号用接続端子部１４の信号端子２２への半田付け，接地用接続端子部１７Ａ及び１７Ｂの接地端子２３Ａ及び２３Ｂへの半田付け、及び、接地用接続端子部１８の接地端子への半田付けは、表面実装方式によって行われることになるが、信号用接続端子部１４及び接地用接続端子部１７Ａ，１７Ｂ及び１８は、回路基板に設けられた信号端子及び接地端子への半田付けが、半田ディップ方式により行われるように構成されてもよい。
【００３４】
図５は、図４に示されるように回路基板２１に取り付けられた同軸コネクタ装置１１が、他の回路基板２５に取り付けられた相手側同軸コネクタ装置２６に、それとの嵌合接続がなされるべく、対向せしめられた状態を示す。相手側同軸コネクタ装置２６は、信号接続用接触導体２７と接地接続用接触導体２８とが設けられたものとされている。
【００３５】
図５に示されるように相手側同軸コネクタ装置２６に対向せしめられた同軸コネクタ装置１１は、その後、図６に示されるように、相手側同軸コネクタ装置２６に嵌合接続される。
【００３６】
図７は、回路基板２１に取り付けられた同軸コネクタ装置１１が他の回路基板２５に取り付けられた相手側同軸コネクタ装置２６に嵌合接続された状態を示す、図１におけるＡ−Ａ線断面を含んだ断面図である。また、図８は、回路基板２１に取り付けられた同軸コネクタ装置１１が他の回路基板２５に取り付けられた相手側同軸コネクタ装置２６に嵌合接続された状態を示す、図１におけるＢ−Ｂ線断面を含んだ断面図である。
【００３７】
図７及び図８に示されるように、同軸コネクタ装置１１が相手側同軸コネクタ装置２６に嵌合接続されたもとにあっては、同軸コネクタ装置１１における信号接続用接触導体１３が、相手側同軸コネクタ装置２６における信号接続用接触導体２７に接触するものとされるとともに、同軸コネクタ装置１１における円筒状を成す接地接続用接触導体１５が、相手側同軸コネクタ装置２６における接地接続用接触導体２８に接触するものとされる。その際、同軸コネクタ装置１１における円筒状を成す接地接続用接触導体１５は、相手側同軸コネクタ装置２６における接地接続用接触導体２８に接触するとき、さらには、相手側同軸コネクタ装置２６における接地接続用接触導体２８に接触した状態におかれるとき、相手側同軸コネクタ装置２６における接地接続用接触導体２８との係合による弾性変形を生じ、また、例えば、その弾性変形に伴う弾性力を相手側同軸コネクタ装置２６における接地接続用接触導体２８に作用させて、その相手側同軸コネクタ装置２６における接地接続用接触導体２８をロックする状態におかれる。
【００３８】
同軸コネクタ装置１１における接地接続用接触導体１５が相手側同軸コネクタ装置２６における接地接続用接触導体２８との係合による弾性変形を生じるにあたっては、接地接続用接触導体１５に設けられた、それにおける一対の環状端縁部分１５ａ及び１５ｂのうちの一方である環状端縁部分１５ａから他方である環状端縁部分１５ｂに達して側壁部分を分断するスリット２０が、接地接続用接触導体１５の弾性変形を容易にする役割を果たす。但し、スリット２０は、接地接続用接触導体１５の弾性変形に必ず必要というものではない。
【００３９】
斯かる際に同軸コネクタ装置１１における接地接続用接触導体１５が生じる弾性変形に起因する応力は、各々が接地接続用接触導体１５が有する回路基板２１からの距離を異にする一対の環状端縁部分１５ａ及び１５ｂのうちの回路基板２１から遠い方のものである環状端縁部分１５ａから回路基板２１に向かって屈曲して伸びる一対の腕状部１６Ａ及び１６Ｂの夫々に弾性変形を生じさせることに費やされ、長さが比較的大なるものとされたもとで弾性変形を生じる腕状部１６Ａ及び１６Ｂの夫々により十分に吸収されて減衰せしめられる。それにより、同軸コネクタ装置１１における接地接続用接触導体１５が生じる弾性変形に起因する応力の、接地接続用接触導体１５に設けられた腕状部１６Ａ及び１６Ｂの各々の先端部分に夫々形成された接地用接続端子部１７Ａ及び１７Ｂへの伝達が、効果的に低減されることになる。
【００４０】
従って、同軸コネクタ装置１１における接地接続用接触導体１５の弾性変形に起因し、接地接続用接触導体１５に設けられた接地用接続端子部１７Ａと回路基板２１に設けられた接地端子２３Ａとの半田付け部、及び、接地接続用接触導体１５に設けられた接地用接続端子部１７Ｂと回路基板２１に設けられた接地端子２３Ｂとの半田付け部に作用することになる応力を、腕状部１６Ａ及び１６Ｂの夫々による吸収減衰により効果的に減衰させることができ、その結果、接地接続用接触導体１５に設けられた接地用接続端子部１７Ａと回路基板２１に設けられた接地端子２３Ａとの半田付け部、及び、接地接続用接触導体１５に設けられた接地用接続端子部１７Ｂと回路基板２１に設けられた接地端子２３Ｂとの半田付け部に、半田クラック，半田外れ，接地端子の回路基板からの剥離等が発生し、接地接続用接触導体１５と回路基板２１に設けられた接地端子２３Ａ及び２３Ｂとの適正な接続状態が維持されなくなってしまうという不具合を回避できることになる。
【００４１】
上述の図１〜図３に示される同軸コネクタ装置１１にあっては、円筒状を成す接地接  続用接触導体１５に一対の腕状部１６Ａ及び１６Ｂが設けられているが、本願発明の第１の態様に係る同軸コネクタ装置にあっては、接地接続用接触導体１５に相当する円筒状を成す接地接続用接触導体に、腕状部１６Ａもしくは腕状部１６Ｂに相当する腕状部が一つあるいは複数設けられてもよい。そして、斯かる腕状部の先端部分には、接地用接続端子部１７Ａもしくは接地用接続端子部１７Ｂに相当する接地用接続端子部が形成される。
【００４２】
このように、円筒状を成す接地接続用接触導体に腕状部が一つあるいは複数設けられ、各腕状部の先端部分に接地用接続端子部が形成される、本願発明の第１の態様に係る同軸コネクタ装置の場合にあっても、上述の図１〜図３に示される同軸コネクタ装置１１の場合と同様な作用効果、即ち、接地接続用接触導体が生じる弾性変形に起因する応力が腕状部によって吸収減衰され、その接地接続用接触導体に設けられた腕状部の先端部分に形成された接地用接続端子部への伝達が、効果的に低減されることを含んだ作用効果が得られる。そして、円筒状を成す接地接続用接触導体に腕状部が複数設けられる場合には、円筒状を成す接地接続用接触導体に腕状部が一つ設けられる場合に比して、接地接続用接触導体が生じる弾性変形に起因する応力の腕状部による吸収減衰が、より一層効率的に行われるようにすることができる。
【実施例２】
【００４３】
図９（平面図），図１０（斜視図）及び図１１（底面側から見た斜視図）は、本願発明の第２の態様に係る同軸コネクタ装置の一例を示す。
【００４４】
図９〜図１１において、本願発明の第２の態様に係る同軸コネクタ装置の一例を成す同軸コネクタ装置３１も、回路基板に取り付けられたもとで他の同軸コネクタ装置（相手側同軸コネクタ装置）との嵌合接続がなされて使用されるものとされる。そして、同軸コネクタ装置３１は、例えば、合成樹脂材により形成されて、同軸コネクタ装置３１が取り付けられる回路基板の面上に配されるものとされる絶縁基体３２を備えている。絶縁基体３２は、その中央部分に全体として円柱状をなす突出部３２ａが設けられたものとされており、突出部３２ａの中央部には矩形状の透孔３２ｂが形成されている。
【００４５】
また、同軸コネクタ装置３１は、例えば、合金板材とされる弾性を有した導電材料により形成され、絶縁基体３２の突出部３２ａに形成された透孔３２ｂ内に配されて絶縁基体３２に組み付けられた信号接続用接触導体３３を備えている。信号接続用接触導体３３の端部は、同軸コネクタ装置３１が嵌合接続される相手側同軸コネクタ装置の信号接続用接触導体に接触する接触接続部とされている。そして、信号接続用接触導体３３には、それから絶縁基体３２の外部へと伸びて、絶縁基体３２が配される面を有する回路基板に設けられた信号端子に接続される信号用接続端子部３４が設けられている。
【００４６】
さらに、同軸コネクタ装置３１は、例えば、合金板材とされる弾性を有した導電材料により形成され、絶縁基体３２の突出部３２ａに形成された透孔３２ｂ内に配された信号接続用接触導体３３を、絶縁基体３２が配される回路基板の面に沿って包囲する、円筒状を成すものとして絶縁基体３２に組み付けられた接地接続用接触導体３５を備えている。円筒状を成す接地接続用接触導体３５には、それにおける側壁部分３５ａから絶縁基体３２が配される回路基板の面に沿う方向に伸びる一対の腕状部３６Ａ及び３６Ｂと、腕状部３６Ａの先端部分に形成されて絶縁基体３２が配される面を有する回路基板に設けられた接地端子に半田付けされる接地用接続端子部３７Ａと、腕状部３６Ｂの先端部分に形成されて絶縁基体３２が配される面を有する回路基板に設けられた接地端子に半田付けされる接地用接続端子部３７Ｂとが設けられている。一対の腕状部３６Ａ及び３６Ｂは、接地接続用接触導体３５に所定の相互間隔をおいて設けられたものとされる。
【００４７】
腕状部３６Ａ及び３６Ｂと接地用接続端子部３７Ａ及び３７Ｂとは、例えば、合金板材とされる弾性を有した導電材料により形成される接地接続用接触導体３５と一体的に形成されており、従って、腕状部３６Ａ及び３６Ｂも弾性を有したものとされる。そして、上述のように、接地用接続端子部３７Ａが接地接続用接触導体３５における側壁部分３５ａから伸びる腕状部３６Ａの先端部分に形成されるとともに、接地用接続端子部３７Ｂが接地接続用接触導体３５における側壁部分３５ａから伸びる腕状部３６Ｂの先端部分に形成されていることにより、絶縁基体３２が配される面を有する回路基板に設けられた接地端子に半田付けされる接地用接続端子部３７Ａ及び３７Ｂが、弾性を有した腕状部３６Ａ及び３６Ｂによって接地接続用接触導体３５に連結されていることになり、また、接地接続用接触導体３５から腕状部３６Ａ及び３６Ｂの夫々の長さだけ離隔していることになる。
【００４８】
接地接続用接触導体３５には、絶縁基体３２が配される面を有する回路基板に近接している環状端縁部分から絶縁基体３２の外部へと伸びて、絶縁基体３２が配される面を有する回路基板に設けられた接地端子に接続される接地用接続端子部３８も設けられている。
【００４９】
さらに、接地接続用接触導体３５には、腕状部３６Ａと腕状部３６Ｂとの間の位置、例えば、中間となる位置に、側壁部分３５ａを分断するスリット４０が設けられている。
【００５０】
図１１に示されるように、上述のような絶縁基体３２における底面３２ｃ，信号接続用接触導体３３に設けられた信号用接続端子部３４の底面３４ａ、及び、接地接続用接触導体３５に設けられた接地用接続端子部３７Ａ，３７Ｂ及び３８の夫々の底面３７ａ，３７ｂ及び３８ａは、実質的に同一面内に配されるものとされて、絶縁基体３２が配される面を有する回路基板に当接するものとされている。
【００５１】
図１２は、図９〜図１１に示される同軸コネクタ装置３１が、回路基板４１に取り付けられた状態を示す。回路基板４１が有する面４１ａが、同軸コネクタ装置３１における絶縁基体３２が配される面である。
【００５２】
図１２に示される回路基板４１には、信号端子４２と接地端子４３Ａ，４３Ｂ及び４４とが設けられている。但し、信号端子４２及び接地端子４３Ａは、図１２において、同軸コネクタ装置３１の後方に隠れていて現れていない。そして、同軸コネクタ装置３１は、その絶縁基体３２が回路基板４１の面４１ａに配され、信号接続用接触導体３３に設けられた信号用接続端子部３４が、回路基板４１に設けられた信号端子４２に、例えば、半田付けされることにより接続され、また、接地接続用接触導体３５に設けられた接地用接続端子部３７Ａ及び３７Ｂが、回路基板４１に設けられた接地端子４３Ａ及び４３Ｂに夫々半田付けされ、さらに、接地接続用接触導体３５に設けられた接地用接続端子部３８が、回路基板４１に設けられた接地端子４４に半田付けされて、回路基板４１に取り付けられている。なお、図１２に示される例にあっては、信号用接続端子部３４の信号端子４２への半田付け，接地用接続端子部３７Ａ及び３７Ｂの接地端子４３Ａ及び４３Ｂへの半田付け、及び、接地用接続端子部３８の接地端子４４への半田付けは、表面実装方式によって行われることになるが、信号用接続端子部３４及び接地用接続端子部３７Ａ，３７Ｂ及び３８は、回路基板に設けられた信号端子及び接地端子への半田付けが、半田ディップ方式により行われるように構成されてもよい。
【００５３】
図１２に示されるように回路基板４１に取り付けられた同軸コネクタ装置３１は、他の回路基板に取り付けられた相手側同軸コネクタ装置との嵌合接続がなされるものとされる。
【００５４】
図１３は、回路基板４１に取り付けられた同軸コネクタ装置３１が他の回路基板４５に取り付けられた相手側同軸コネクタ装置４６に嵌合接続された状態を示す、図９におけるＣ−Ｃ線断面を含んだ断面図である。また、図１４は、回路基板４１に取り付けられた同軸コネクタ装置３１が他の回路基板４５に取り付けられた相手側同軸コネクタ装置４６に嵌合接続された状態を示す、図９におけるＤ−Ｄ線断面を含んだ断面図である。
【００５５】
図１３及び図１４に示されるように、同軸コネクタ装置３１が相手側同軸コネクタ装置４６に嵌合接続されたもとにあっては、同軸コネクタ装置３１における信号接続用接触導体３３が、相手側同軸コネクタ装置４６における信号接続用接触導体４７に接触するものとされるとともに、同軸コネクタ装置３１における円筒状を成す接地接続用接触導体３５が、相手側同軸コネクタ装置４６における接地接続用接触導体４８に接触するものとされる。その際、同軸コネクタ装置３１における円筒状を成す接地接続用接触導体３５は、相手側同軸コネクタ装置４６における接地接続用接触導体４８に接触するとき、さらには、相手側同軸コネクタ装置４６における接地接続用接触導体４８に接触した状態におかれるとき、相手側同軸コネクタ装置４６における接地接続用接触導体４８との係合による弾性変形を生じ、また、例えば、その弾性変形に伴う弾性力を相手側同軸コネクタ装置４６における接地接続用接触導体４８に作用させて、その相手側同軸コネクタ装置４６における接地接続用接触導体４８をロックする状態におかれる。
【００５６】
同軸コネクタ装置３１における接地接続用接触導体３５が相手側同軸コネクタ装置４６における接地接続用接触導体４８との係合による弾性変形を生じるにあたっては、接地接続用接触導体３５に設けられた、その側壁部分３５ａを分断するスリット４０が、接地接続用接触導体３５の弾性変形を容易にする役割を果たす。但し、スリット４０は、接地接続用接触導体３５の弾性変形に必ず必要というものではない。
【００５７】
斯かる際に同軸コネクタ装置３１における接地接続用接触導体３５が生じる弾性変形に起因する応力は、各々が接地接続用接触導体３５における側壁部分３５ａから回路基板４１の面４１ａに沿う方向に伸びる一対の腕状部３６Ａ及び３６Ｂの夫々に弾性変形を生じさせることに費やされ、弾性変形を生じる腕状部３６Ａ及び３６Ｂの夫々により吸収されて減衰せしめられる。それにより、同軸コネクタ装置３１における接地接続用接触導体３５が生じる弾性変形に起因する応力の、接地接続用接触導体３５に設けられた腕状部３６Ａ及び３６Ｂの各々の先端部分に夫々形成された接地用接続端子部３７Ａ及び３７Ｂへの伝達が、効果的に低減されることになる。
【００５８】
従って、同軸コネクタ装置３１における接地接続用接触導体３５の弾性変形に起因し、当該接地接続用接触導体３５に設けられた接地用接続端子部３７Ａと回路基板４１に設けられた接地端子４３Ａとの半田付け部、及び、接地接続用接触導体３５に設けられた接地用接続端子部３７Ｂと回路基板４１に設けられた接地端子４３Ｂとの半田付け部に作用することになる応力を、腕状部３６Ａ及び３６Ｂの夫々による吸収減衰によって効果的に減衰させることができ、その結果、接地接続用接触導体３５に設けられた接地用接続端子部３７Ａと回路基板４１に設けられた接地端子４３Ａとの半田付け部、及び、接地接続用接触導体３５に設けられた接地用接続端子部３７Ｂと回路基板４１に設けられた接地端子４３Ｂとの半田付け部に、半田クラック，半田外れ，接地端子の回路基板からの剥離等が発生し、接地接続用接触導体３５と回路基板４１に設けられた接地端子４３Ａ及び４３Ｂとの適正な接続状態が維持されなくなってしまうという不具合を回避できることになる。
【００５９】
上述の図９〜図１１に示される同軸コネクタ装置３１にあっては、円筒状を成す接地接続用接触導体３５に一対の腕状部３６Ａ及び３６Ｂが設けられているが、本願発明の第２の態様に係る同軸コネクタ装置にあっては、接地接続用接触導体３５に相当する円筒状を成す接地接続用接触導体に、腕状部３６Ａもしくは腕状部３６Ｂに相当する腕状部が一つあるいは複数設けられてもよい。そして、斯かる腕状部の先端部分には、接地用接続端子部３７Ａもしくは接地用接続端子部３７Ｂに相当する接地用接続端子部が形成される。  
【００６０】
このように、円筒状を成す接地接続用接触導体に腕状部が一つあるいは複数設けられ、各腕状部の先端部分に接地用接続端子部が形成される、本願発明の第２の態様に係る同軸コネクタ装置の場合にあっても、上述の図９〜図１１に示される同軸コネクタ装置３１の場合と同様な作用効果、即ち、接地接続用接触導体が生じる弾性変形に起因する応力が腕状部によって吸収減衰され、その接地接続用接触導体に設けられた腕状部の先端部分に形成された接地用接続端子部への伝達が、効果的に低減されることを含んだ作用効果が得られる。そして、円筒状を成す接地接続用接触導体に腕状部が複数設けられる場合には、円筒状を成す接地接続用接触導体に腕状部が一つ設けられる場合に比して、接地接続用接触導体が生じる弾性変形に起因する応力の腕状部による吸収減衰が、より一層効率的に行われるようにすることができる。
【産業上の利用可能性】
【００６１】
以上のような本願発明に係る同軸コネクタ装置は、例えば、電磁波シールドが必要である信号についての、回路基板からその外部、例えば、他の回路基板への伝送を行うにあたり、相手側同軸コネクタ装置との嵌合接続がなされるものとして用いることができ、他の同軸コネクタ装置との嵌合接続にあたり、信号接続用接触導体及び接地接続用接触導体が他の同軸コネクタ装置における信号接続用接触導体及び接地接続用接触導体に夫々接触する際に、接地接続用接触導体が有する接地用接続端子部と回路基板に設けられた接地端子との半田付け部に作用する応力を効果的に減衰させることができるものとして、様々な電子機器等に広く適用され得るものである。
【図面の簡単な説明】
【００６２】
【図１】本願発明の第１の態様に係る同軸コネクタ装置の一例を示す平面図である。
【図２】本願発明の第１の態様に係る同軸コネクタ装置の一例を示す斜視図である。
【図３】本願発明の第１の態様に係る同軸コネクタ装置の一例を示す底面側から見た斜視図である。
【図４】本願発明の第１の態様に係る同軸コネクタ装置の一例が回路基板に取り付けられた状態を示す斜視図である。
【図５】本願発明の第１の態様に係る同軸コネクタ装置の一例が回路基板に取り付けられて相手側同軸コネクタ装置と対向せしめられた状態を示す斜視図である。
【図６】本願発明の第１の態様に係る同軸コネクタ装置の一例が回路基板に取り付けられて相手側同軸コネクタ装置と嵌合接続された状態を示す斜視図である。
【図７】本願発明の第１の態様に係る同軸コネクタ装置の一例が回路基板に取り付けられて相手側同軸コネクタ装置と嵌合接続された状態を示す、図１におけるＡ−Ａ線断面を含む断面図である。
【図８】本願発明の第１の態様に係る同軸コネクタ装置の一例が回路基板に取り付けられて相手側同軸コネクタ装置と嵌合接続された状態を示す、図１におけるＢ−Ｂ線断面を含む断面図である。
【図９】本願発明の第２の態様に係る同軸コネクタ装置の一例を示す平面図である。
【図１０】本願発明の第２の態様に係る同軸コネクタ装置の一例を示す斜視図である。
【図１１】本願発明の第２の態様に係る同軸コネクタ装置の一例を示す底面側から見た斜視図である。
【図１２】本願発明の第２の態様に係る同軸コネクタ装置の一例が回路基板に取り付けられた状態を示す斜視図である。
【図１３】本願発明の第２の態様に係る同軸コネクタ装置の一例が回路基板に取り付けられて相手側同軸コネクタ装置と嵌合接続された状態を示す、図９におけるＣ−Ｃ線断面を含む断面図である。
【図１４】本願発明の第２の態様に係る同軸コネクタ装置の一例が回路基板に取り付けられて相手側同軸コネクタ装置と嵌合接続された状態を示す、図９におけるＤ−Ｄ線断面を含む断面図である。
【符号の説明】
【００６３】
１１，３１・・・同軸コネクタ装置，  １２，３２・・・絶縁基体，  １３，３３・・・信号接続用接触導体，  １４，３４・・・信号用接続端子部,   １５，３５・・・接地接続用接触導体,   １５ａ，１５ｂ・・・環状端縁部分，  １６Ａ，１６Ｂ，３６Ａ，３６Ｂ・・・腕状部,   １７Ａ，１７Ｂ，１８，３７Ａ，３７Ｂ，３８・・・接地用接続端子部，  ２０，４０・・・スリット，  ２１，４１・・・回路基板，  ２２，４２・・・信号端子,   ２３Ａ，２３Ｂ，４３Ａ，４３Ｂ，４４・・・接地端子，  ３５ａ・・・側壁部分
【図１】
0005131455.tif 000002
【図２】
0005131455.tif 000003
【図３】
0005131455.tif 000004
【図４】
0005131455.tif 000005
【図５】
0005131455.tif 000006
【図６】
0005131455.tif 000007
【図７】
0005131455.tif 000008
【図８】
0005131455.tif 000009
【図９】
0005131455.tif 000010
【図１０】
0005131455.tif 000011
【図１１】
0005131455.tif 000012
【図１２】
0005131455.tif 000013
【図１３】
0005131455.tif 000014
【図１４】
0005131455.tif 000015